(57)【特許請求の範囲】
【請求項１】
底板上の前面側略中央に載置され、圧縮機カバーで覆われた圧縮機と、同圧縮機の背面側と両側とにわたって設けられた熱交換器と、同熱交換器の背面部に対向して設けられた送風機と、前記熱交換器の両側に取り付けられた側板の上端に固定された保持板上に保持され、電気部品を収容して上部が天井補強板で覆われた電装部と、同電装部の一側の前記保持板に板金製の操作弁取付具に固定されて取り付けられ、室内機側から導入される接続配管を本体の背面側から接続する操作弁と、同操作弁および前記電装部の上部をカバーするトップカバーと、前記底板に被着され、前面からなるフロントカバーと、背面および、または上部に略コ字状断面の把手部を備えた両側面からなるリヤカバーとで構成される合成樹脂製の外胴とからなり、
前記把手部を、前記熱交換器の上端よりも少許低く位置させる一方、前記操作弁取付具の一側に、前記熱交換器の外形に沿って垂下する垂下部と、同垂下部の先端を外方に折曲して前記把手部の内壁上面に当接する当接部とからなる支持板を設けたことを特徴とする空気調和機の室外機。
【請求項２】
底板上の前面側略中央に載置され、圧縮機カバーで覆われた圧縮機と、同圧縮機の背面側と両側とにわたって設けられた熱交換器と、同熱交換器の背面部に対向して設けられた送風機と、前記熱交換器の両側に取り付けられた側板の上端に固定された保持板上に保持され、電気部品を収容して上部が天井補強板で覆われた電装部と、同電装部の一側の前記保持板に板金製の操作弁取付具に固定されて取り付けられ、室内機側から導入される接続配管を本体の背面側から接続する操作弁と、同操作弁および前記電装部の上部をカバーするトップカバーと、前記底板に被着され、前面および上部に略コ字状断面の把手部を備えた両側面からなるフロントカバーと、背面からなるリヤカバーとで構成される合成樹脂製の外胴とからなり、
前記把手部を、前記熱交換器の上端よりも少許低く位置させる一方、前記操作弁取付具の一側に、前記熱交換器の外形に沿って垂下する垂下部と、同垂下部の先端を外方に折曲して前記把手部の内壁上面に当接する当接部とからなる支持板を設けたことを特徴とする空気調和機の室外機。
【請求項３】
前記支持板を、前記操作弁取付具と一体的に形成したことを特徴とする請求項１または請求項２に記載の空気調和機の室外機。
【請求項４】
前記把手部が、両側を開口した凹状断面により形成されてなり、該凹状断面部の少なくとも下面は、前記開口部側を少許低く傾斜させたことを特徴とする請求項１または請求項２に記載の空気調和機の室外機。
【請求項５】
前記凹状部の少なくとも垂直面に、空気取入れ孔を設けたことを特徴とする請求項４に記載の空気調和機の室外機。
【請求項６】
前記空気取入れ孔を、複数の縦桟または複数の横桟により形成したことを特徴とする請求項５に記載の空気調和機の室外機。
【請求項７】
前記把手部が、凸状断面により形成されてなり、該凸状断面部の少なくとも上面は、先端部を少許低く傾斜させたことを特徴とする請求項１または請求項２に記載の空気調和機の室外機。
【発明の詳細な説明】
【０００１】
【発明の属する技術分野】
本発明は、空気調和機の室外機に係わり、より詳細には、本体の上部に操作弁を取り付けるようにした操作弁取付具の一側を、同操作弁取付具の一側よりも低い位置に設けた略コ字状断面の把手部で支持して強度を増強できるようにした構造に関する。
【０００２】
【従来の技術】
従来の空気調和機の室外機は、例えば図１と、図２と、図６とで示すように、底板１上の前面側略中央に載置され、圧縮機カバー2aで覆われた圧縮機２と、同圧縮機２の背面側と両側とにわたって設けられた熱交換器３と、同熱交換器３の背面部に対向して設けられた送風機５と、前記熱交換器３の両側に取り付けられた側板４の上端に固定された保持板６上に保持され、電気部品を収容して上部が天井補強板７で覆われた電装部８と、同電装部８の一側の前記保持板６に板金製の操作弁取付具９に固定されて取り付けられ、室内機側から導入される接続配管を本体の背面側から接続する操作弁9'と、同操作弁9'および前記電装部８の上部をカバーするトップカバー10と、前記底板１に被着され、前面からなるフロントカバー11と、背面および、または上部に略コ字状断面の把手部13を備えた両側面からなるリヤカバー12とで構成される合成樹脂製の外胴とからなる構成であった。
【０００３】
しかしながら、前記操作弁取付具９は、他側が前記保持板６に固定されている一方、一側が強固に固定されていない構成であることから、工具を使用して前記操作弁9'に前記接続配管を接続する際、ぐらつきが生じて作業性が悪くなったり、または損傷してしまう恐れがあったり、もしくは前記把手部13が接続作業の邪魔になってしまうなどの問題を有していた。
【０００４】
【発明が解決しようとする課題】
本発明は、上記の問題点に鑑み、本体の上部に操作弁を取り付けるようにした操作弁取付具の一側を、同操作弁取付具の一側よりも低い位置に設けた略コ字状断面の把手部で支持して強度を増強できるようにした空気調和機の室外機を提供することを目的とする。
【０００５】
【課題を解決するための手段】
本発明は上記課題を解決するため、底板上の前面側略中央に載置され、圧縮機カバーで覆われた圧縮機と、同圧縮機の背面側と両側とにわたって設けられた熱交換器と、同熱交換器の背面部に対向して設けられた送風機と、前記熱交換器の両側に取り付けられた側板の上端に固定された保持板上に保持され、電気部品を収容して上部が天井補強板で覆われた電装部と、同電装部の一側の前記保持板に板金製の操作弁取付具に固定されて取り付けられ、室内機側から導入される接続配管を本体の背面側から接続する操作弁と、同操作弁および前記電装部の上部をカバーするトップカバーと、前記底板に被着され、前面からなるフロントカバーと、背面および、または上部に略コ字状断面の把手部を備えた両側面からなるリヤカバーとで構成される合成樹脂製の外胴とからなり、
前記把手部を、前記熱交換器の上端よりも少許低く位置させる一方、前記操作弁取付具の一側に、前記熱交換器の外形に沿って垂下する垂下部と、同垂下部の先端を外方に折曲して前記把手部の内壁上面に当接する当接部とからなる支持板を設けた構成となっている。
【０００６】
また、底板上の前面側略中央に載置され、圧縮機カバーで覆われた圧縮機と、同圧縮機の背面側と両側とにわたって設けられた熱交換器と、同熱交換器の背面部に対向して設けられた送風機と、前記熱交換器の両側に取り付けられた側板の上端に固定された保持板上に保持され、電気部品を収容して上部が天井補強板で覆われた電装部と、同電装部の一側の前記保持板に板金製の操作弁取付具に固定されて取り付けられ、室内機側から導入される接続配管を本体の背面側から接続する操作弁と、同操作弁および前記電装部の上部をカバーするトップカバーと、前記底板に被着され、前面および上部に略コ字状断面の把手部を備えた両側面からなるフロントカバーと、背面からなるリヤカバーとで構成される合成樹脂製の外胴とからなり、
前記把手部を、前記熱交換器の上端よりも少許低く位置させる一方、前記操作弁取付具の一側に、前記熱交換器の外形に沿って垂下する垂下部と、同垂下部の先端を外方に折曲して前記把手部の内壁上面に当接する当接部とからなる支持板を設けた構成となっている。
【０００７】
また、前記支持板を、前記操作弁取付具と一体的に形成した構成となっている。
【０００８】
また、前記把手部が、両側を開口した凹状断面により形成されてなり、該凹状断面部の少なくとも下面は、前記開口部側を少許低く傾斜させた構成となっている。
【０００９】
また、前記凹状部の少なくとも垂直面に、空気取入れ孔を設けた構成となっている。
【００１０】
また、前記空気取入れ孔を、複数の縦桟または複数の横桟により形成した構成となっている。
【００１１】
更に、前記把手部が、凸状断面により形成されてなり、該凸状断面部の少なくとも上面は、先端部を少許低く傾斜させた構成となっている。
【００１２】
【発明の実施の形態】
以下、本発明の実施の形態を図面に基づいた実施例として詳細に説明する。
図１と、図２と、図３（Ａ）および図３（Ｂ）と、図４と、図５（Ａ）および図５（Ｂ）とにおいて、１は底板、２は同底板１上の前面側略中央に圧縮機カバー2aで覆われて載置された圧縮機、３は同圧縮機２の背面側と両側とにわたって略凹状に折曲形成された熱交換器、５は同熱交換器３の背面部に対向して設けられた送風機、８は前記熱交換器３の両端に取り付けられた側板４の上端に固定された板金製の保持板６上に保持され、内部に電装品を収容して上部が天井補強板７で覆われた電装部、９は室内機側から導入される接続配管を室外機本体の背面側から接続するための複数の操作弁9'を固定して、前記電装部８の一側の前記保持板６に取り付けるための板金製の操作弁取付具である。
【００１３】
10は前記操作弁9'および前記天井補強板７でカバーされた前記電装部８の上部を覆う合成樹脂製のトップカバー、11は前記底板１に被着されて前面および、または上部に略コ字状断面の把手部13を備えた両側面からなる合成樹脂製のフロントカバー、12は背面および、または前記両側面からなる合成樹脂製のリヤカバーで、これらトップカバー10、フロントカバー11およびリヤカバー12によって外胴が構成されている。
なお、前記両側面は、設計上の都合などに応じて、前記リヤカバー12または前記フロントカバー11の何れか一方と一体的に形成すればよい。
【００１４】
前記把手部13は、前記熱交換器３の上端よりも少許低く位置させる一方、前記操作弁取付具９の一側に、前記熱交換器３の外形に沿って垂下する垂下部と、同垂下部の先端を外方に折曲して前記把手部13の内壁上面に当接する当接部とからなる支持板9aを設けた構成となっており、
これによって、強固に固定されていなかった前記操作弁取付具９の一側が、前記支持板9aを前記把手部13の内壁上面に当接して強固に支持された構造となるので、工具を使用して前記操作弁9'に前記接続配管を接続する際、前記操作弁取付具９は、上記に従来技術として説明したようなぐらつきが生じなくなり、または損傷してしまう恐れがなくなるとともに、前記把手部13が接続作業の邪魔になってしまうということがないようにした構造となる。
【００１５】
また、前記支持板9aを、前記操作弁取付具９と一体的に形成したことにより、寸法形状が正確に仕上げられるとともにコスト的に有利な構成となっている。
【００１６】
また、前記把手部13が、一実施例として図３（Ａ）および図３（Ｂ）で示すように、両側を開口した凹状断面により形成されてなり、該凹状断面部の少なくとも下面は、前記開口部側を少許低く傾斜させたことにより、前記把手部13に手指を掛けやすくした構成となっている。
【００１７】
また、図４で示すように、前記凹状部の少なくとも垂直面に空気取入れ孔13a を設けたことにより、前記熱交換器３を通過させる吸込空気の流量を多くして、熱交換効率を向上できるようにした構成となっている。
【００１８】
また、前記空気取入れ孔13a を、複数の縦桟または複数の横桟により形成したことにより、前記リヤカバー12または前記フロントカバー11の何れか一方と一体的に形成された前記側面に設けられ、複数の縦桟または複数の横桟により形成された吸込口と同様の外観となり、意匠性を向上できるようにした構成となっている。
【００１９】
更に、前記把手部13が、他の実施例として図５（Ａ）および図５（Ｂ）で示すように、凸状断面により形成されてなり、該凸状断面部の少なくとも上面は、先端部を少許低く傾斜させたことにより、前記把手部13を、前記リヤカバー12または前記フロントカバー11の両側面の外側に突出させることによって、該両側面を前記熱交換器３に近接できるようになって、本体を小型化できるようにした構成となっている。
【００２０】
以上の構成により、図１と、図２と、図３（Ａ）および図３（Ｂ）と、図４と、図５（Ａ）および図５（Ｂ）とで示すように、前記把手部13は、前記熱交換器３の上端よりも少許低く位置させる一方、前記操作弁取付具９の一側に、前記熱交換器３の外形に沿って垂下する垂下部と、同垂下部の先端を外方に折曲して前記把手部13の内壁上面に当接する当接部とからなる支持板9aを設けたことにより、強固に固定されていなかった前記操作弁取付具９の一側が、前記支持板9aを前記把手部13の内壁上面に当接して強固に支持された構造となるので、工具を使用して前記操作弁9'に前記接続配管を接続する際、前記操作弁取付具９は、上記に従来技術として説明したようなぐらつきが生じなくなり、または損傷してしまう恐れがなくなるとともに、前記把手部13が接続作業の邪魔になってしまうということがないようにした空気調和機の室外機となる。
【００２１】
【発明の効果】
以上のように本発明によると、本体の上部に操作弁を取り付けるようにした操作弁取付具の一側を、同操作弁取付具の一側よりも低い位置に設けた略コ字状断面の把手部で支持して強度を増強できるようにした空気調和機の室外機となる。
【図面の簡単な説明】
【図１】本発明および従来例による空気調和機の室外機を示す外観斜視図である。
【図２】本発明および従来例による空気調和機の室外機を示す分解斜視図である。
【図３】本発明による空気調和機の室外機の一実施例を示す要部説明図で、（Ａ）は分解斜視図であり、（Ｂ）は断面図である。
【図４】本発明による空気調和機の室外機の要部斜視図である。
【図５】本発明による空気調和機の室外機の他の実施例を示す要部説明図で、（Ａ）は斜視図であり、（Ｂ）は断面図である。
【図６】従来例による空気調和機の室外機の要部斜視図である。
【符号の説明】
１  底板
２  圧縮機
2a  圧縮機カバー
３  熱交換器
４  側板
５  送風機
６  保持板
７  天井補強板
８  電装部
９  操作弁取付具
9'  操作弁
9a  支持板
10  トップカバー
11  フロントカバー
12  リヤカバー
13  把手部
13a   空気取入れ孔
【図１】
0003767141.tif 000002
【図２】
0003767141.tif 000003
【図３】
0003767141.tif 000004
【図４】
0003767141.tif 000005
【図５】
0003767141.tif 000006
【図６】
0003767141.tif 000007